(57)【要約】【課題】  非接着性片面シースルー・ポスターの生産に使用するのに適した接着コンパウンドを提供する。【解決手段】  前記接着コンパウンドは、少なくともポスター被着体（１）を有するポスター材料およびキャリア被着体（２）を有するキャリア材料を備え、前記ポスター材料および前記キャリア材料は、接着剤層（２０）によって分離可能な状態で相互に接続される。前記ポスター材料は、第１側に、印刷可能であるか、または直接的にまたは前処理後に設けることができるイメージを受けるコーティング（２４）を有する表面（３）を、第２側には吸光性表面（４）を有し、前記接着剤層（２０）は、ポスター材料に対してよりキャリア材料に対して良好な接着を有し、したがってポスター材料とキャリア材料を分離した後、前記接着剤層（２０）はキャリア材料上に残る。さらに、前記ポスター材料は、少なくとも１つの区域に規則的に、または規則的パターンで分布した穴（５０）を有し、したがって吸光性表面（４）がある前記第２側から透けて見える。【選択図】  図１
2004310101.tif 000002
【特許請求の範囲】
【請求項１】
非接着性ポスターの生産に使用するのに適した接着コンパウンドで、
前記接着コンパウンドは、少なくともポスター被着体を有するポスター材料と、キャリア被着体を有するキャリア材料とを備え、
前記ポスター材料および前記キャリア材料は、接着剤層によって分離可能な状態で相互に結合され、
前記ポスター材料は、第１側に印刷可能であるかイメージを受けるコーティングを直接または前処理後に設けることができる表面を、第２側には吸光性表面を有し、
前記接着剤層は、前記ポスター材料に対してより前記キャリア材料に対して良好な接着性を有し、
前記ポスター材料と前記キャリア材料とを分離した後、前記接着剤層が前記キャリア材料上に残り、
前記ポスター材料が、少なくとも１つの区域に規則的に分布したまたは規則的パターンで分布した穴を有し、
これにより前記吸光性表面を有する前記第２側からは透けて見える接着コンパウンド。
【請求項２】
前記ポスター材料の前記キャリア材料に面する側が、吸光性表面を有する第２側である請求項１に記載の接着コンパウンド。
【請求項３】
前記第１側で、前記ポスター材料が印刷可能表面を有する請求項１または２に記載の接着コンパウンド。
【請求項４】
前記ポスター材料が、直接にまたは前処理後にイメージを受ける層／コーティングを設けることができる表面を有する第１側を有する請求項１または２に記載の接着コンパウンド。
【請求項５】
前記ポスター材料の前記第１側の前記表面が光反射性である請求項１から４いずれか１項に記載の接着コンパウンド。
【請求項６】
前記キャリア材料が、印刷可能であるか直接にまたは前処理後に設けることができるイメージを受ける層／コーティングを有する表面がある第１側と、吸光性である表面がある第２側とを有し、前記キャリア材料の前記吸光性第２側が前記ポスター材料に面する請求項１から５のいずれかに記載の接着コンパウンド。
【請求項７】
前記キャリア材料の前記第１側が、光反射性である表面を有する請求項７に記載の接着コンパウンド。
【請求項８】
前記ポスター材料および前記キャリア材料が、規則的に分布した穴を少なくとも１つの区域に有する請求項１から７のいずれかに記載の接着コンパウンド。
【請求項９】
前記穴がそれぞれパーフォレーションまたはパンチ穴である請求項１から８のいずれかに記載の接着コンパウンド。
【請求項１０】
前記キャリア材料が穴を有さない請求項１から７いずれかに記載の接着コンパウンド。
【請求項１１】
前記ポスター材料の前記第１側に、イメージおよび／またはテキスト情報を設ける請求項１０に記載の接着コンパウンド。
【請求項１２】
前記キャリア材料の前記第１側が、本質的に印刷可能である表面を有するか、イメージを受けるコーティングを有する請求項１から１１のいずれかに記載の接着コンパウンド。
【請求項１３】
前記キャリア材料の前記第１側の前記表面に情報を印刷する請求項１から１２のいずれかに記載の接着コンパウンド。
【請求項１４】
前記ポスター材料の前記第１および／または前記第２側の前記表面および／または前記キャリア材料の前記第１および／前記第２側の前記表面が、個々の側に適用した層のため、または前記ポスター被着体または前記キャリア被着体の染色のため、吸光性および／または光反射性を有する請求項１から１３のいずれかに記載の接着コンパウンド。
【請求項１５】
前記ポスター被着体および／または前記キャリア被着体がコンパウンド材料の積層品である請求項１から１４のいずれかに記載の接着コンパウンド。
【請求項１６】
前記ポスター材料の前記第１側および／または前記キャリア材料の前記第１側が、白いまたは金属化したように、特にアルミ蒸着したように見える表面を有し、かつ／または前記ポスター材料および／または前記キャリア材料の前記第２側の前記吸光性表面が黒く見える請求項１から１５のいずれかに記載の接着コンパウンド。
【請求項１７】
前記ポスター材料および前記キャリア材料の少なくとも１つの区域に、規則的に分布する穴を設け、前記穴が１ｍｍから５ｍｍ、好ましくは１ｍｍから２ｍｍの直径を有し、前記穴が、規則的に分布した穴、特に円形穴を有する全ての区域の３０％から６０％、好ましくは３０％から５０％になる請求項１から１６いずれかに記載の接着コンパウンド。
【請求項１８】
前記ポスター材料および／前記キャリア材料が、吸光性カラー紙または吸光性層を有するコート紙を備えるか、前記ポスター材料が、吸光性カラー・プラスチック箔または吸光性層をコーティングしたプラスチック箔を備えるか、前記ポスター材料および／または前記キャリア材料が、多層コンパウンド材料、特に紙およびプラスチック（合成材料）または幾つかのプラスチックで作成したコンパウンド材料または紙および／またはプラスチックおよび１つまたは複数のさらなる材料で作成したコンパウンドを備えるか、前記ポスター材料がパルプ織物、特にテキスタイル繊維および／または合成繊維で作成した透かし細工織物を備える請求項１から１７のいずれかに記載の接着コンパウンド。
【請求項１９】
前記ポスター材料および／または前記キャリア材料に少なくとも１つの補助層、特に半透明／透明の分離／剥離層および／または前記ポスター材料の前記第２側の保護層または前記ポスター材料および／または前記キャリア材料の前記第１側の印刷性を改善する補助層を設ける請求項１から１８のいずれかに記載の接着コンパウンド。
【請求項２０】
前記接着コンパウンドに情報を設け、前記情報上に少なくとも１つの追加層、特に摩耗の軽減、光の安定性／耐光性の強化、耐候性の強化および／または落書きからの保護のための１つまたは複数の保護層を設ける請求項１から１９のいずれかに記載の接着コンパウンド。
【請求項２１】
前記キャリア材料の両側に接着剤層を設け、前記キャリア材料の両側に、ポスター材料を、好ましくは穴を有するポスター材料を設ける請求項１から２０のいずれかに記載の接着コンパウンド。
【請求項２２】
前記キャリア材料が一方側でのみ接着剤層と接触する請求項１から２０のいずれかに記載の接着コンパウンド。
【請求項２３】
前記ポスター材料の穴を有する全ての面積の合計、および任意選択で前記キャリア材料の穴を有する全ての面積の前記合計が、前記接着コンパウンドまたは前記ポスター材料それぞれの合計面積の少なくとも５０％、好ましくは少なくとも７５％、特に少なくとも９０％、特に好ましくは約１００％であり、好ましくは前記キャリア材料の穴を有する全ての面積の合計が０％、または前記ポスター材料の穴を有する全ての面積の合計と等しい請求項１から２２のいずれかに記載の接着コンパウンド。
【請求項２４】
請求項１から２３のいずれかに記載の接着コンパウンドを使用して片面シースルー非接着性ポスターを生産する方法で、
印刷可能な接着コンパウンドが、少なくともポスター被着体を有するポスター材料およびキャリア被着体を有するキャリア材料を備え、  前記ポスター材料および前記キャリア材料が、接着剤層によって分離可能な状態で相互に結合され、
前記ポスター材料が、第１側に光反射性である印刷可能表面を、第２側に吸光性表面を有し、
前記ポスター材料には、片面シースルーであるよう少なくとも１つの区域に穴を設け、
前記ポスター材料は、前記キャリア材料から分離した後、接着剤層が全くなく、
前記ポスター材料の前記第１側に、および任意選択で前記キャリア材料の前記第１側に印刷され、前記ポスター材料の前記第１側および／または前記キャリア材料の前記第１側に、任意選択で前記情報上の保護層を設け、
次に、前記ポスター材料を前記キャリア材料から分離する方法。
【請求項２５】
印刷可能な接着コンパウンドを生産する方法で、
ポスター材料は、第１側に、印刷可能であるかイメージを受けるコーティングを直接または前処理後に設けることができる表面を、第２側には吸光性表面を有し、
少なくとも１つの区域に規則的にまたは規則的なパターンで分布した穴を有し、分離した形態では前記第２側から透けて見え、
吸光性表面は、接着剤層によって穴がないキャリア材料に除去できる状態で接着／付着し、
任意選択でイメージを受けるコーティングおよび／または光反射性コーティングが設けられ、
前記接着剤層が、前記ポスター材料に対してより前記キャリア材料に対して良好な接着を有し、
前記ポスター材料と前記キャリア材料を分離した後、前記接着剤層が前記キャリア材料上に残る方法。
【請求項２６】
前記第１側に印刷可能な表面または直接にまたは前処理後にイメージを受けるコーティングを設けることができる表面を備え、前記第２側には吸光性表面を有するポスター材料には、少なくとも１つの区域にパーフォレーションによって穴を設けて、少なくとも１つの区域で片面シースルーであるポスター材料を生産する請求項２４または２５に記載の方法。
【請求項２７】
ベース接着コンパウンドが、少なくともポスター被着体を有するポスター材料およびキャリア被着体を有するキャリア材料を備える状態で、少なくとも１つの区域で片面シースルーである前記ポスター材料を生産し、
前記ポスター材料および前記キャリア材料が接着剤層によって分離可能な状態で相互に接続／結合され、
前記ポスター材料が、第１側に、印刷可能であるかイメージを受けるコーティングを直接または前処理後に設けることができる表面を、第２側には、吸光性表面を有し、前記接着剤層が、前記ポスター材料に対してより前記キャリア材料に対して良好な接着を有し、
前記ポスター材料と前記キャリア材料を分離した後、前記接着剤層が前記キャリア材料上に残り、少なくとも１つの区域にパーフォレーションによって穴を設け、
前記穴が接着コンパウンド全体を通過し、前記ポスター材料と前記キャリア材料が分離される請求項２４または２５に記載の方法。
【請求項２８】
第１側に印刷可能な表面または直接にまたは前処理後にイメージを受けるコーティングを設けることができる表面（３）を備え、
第２側には吸光性表面を有し、穴がないポスター材料／被着体を、前記ポスター被着体が第１表面を提供する状態で、前記ポスター被着体の前記第２側の表面に吸光性コーティングを適用するか、吸光性層および印刷可能層または直接または前処理後にイメージを受ける層を設けることができる層の積層品を生成することによって作成し、
このように生産したポスター材料を、次に前記キャリア材料から分離後に前記ポスター材料に接着特性が全くなくなるよう、キャリア材料と接続／結合する状態で、前記ベース接着コンパウンドを生産する請求項２７に記載の方法。
【請求項２９】
第１側に使用する前記キャリア材料が、印刷可能な表面または直接的にまたは前処理後にイメージを受ける層を設けることができる表面を有し、第２側に吸光性表面を有し、前記吸光性表面がある前記第２側上の前記キャリア材料が接着剤層を有する請求項２４から２８のいずれかに記載の方法。
【請求項３０】
印刷可能接着コンパウンドの生産プロセスの任意のステップで、前記ポスター材料および任意選択で前記キャリア材料に、イメージを受ける層および／または光反射性表面および／または少なくとも１つの補助コーティングを設ける請求項２４から２９のいずれかに記載の方法。
【請求項３１】
片面シースルー非接着性ポスターの生産に対する請求項１から２３のいずれかに記載の接着コンパウンドの使用。
【請求項３２】
情報を配布するための片面シースルー非接着性ポスターの使用で、
請求項１から３１のいずれかに記載のポスター材料を備えるポスターが、少なくとも１つの区域に規則的に分布した穴を有し、第１側に、光反射性であり前記光反射性第１側の情報を載せる表面を、第２側に吸光性表面を有し、
ポスター材料が第１側にも第２側にも非接着剤層を有さず、吊り下げるか、窓に取り付けるか、表面に配置するか、任意選択で枠にて安定させることを特徴とする使用。
【発明の詳細な説明】
【技術分野】
【０００１】
本発明は、グラフィック製品、特に他方側を通して見ることができる片面印刷グラフィック製品の製造に適した接着コンパウンド、さらにこのようなグラフィック製品およびこのような製品を製造する方法に関する。
【背景技術】
【０００２】
転写イメージとしても知られる薄い箔を有する製品が既に知られている。このような製品は通常、再剥離性ライナーによって保護された接着剤を有するプラスチック箔を備え、前記ライナーはシリコン・コート紙またはプラスチック・ライナーである。製品の使用時には、接着剤を露出するようライナーを最初に除去し、次に製品の粘着側を指定された区域に取り付ける。このような粘着性箔の欠点は、箔を所望の区域に取り付けた後、ライナーが処分されることである。さらに、このような箔、またはこのような接着剤の完全な除去が問題となることがある。さらなる欠点は、このような箔に与えられた絵が不透明であるか、コントラストが不十分であることである。ガラスなどの滑らかな表面に適用することができ、接着剤の痕跡を残さずに除去することができる透明な粘着性箔も、既に知られている（例えば英国特許第２２１７２５６号（特許文献１）参照）。これらの箔は、使用するまでライナーで保護する必要もある。さもないと、相互に、または自身に付着してしまうからである。
【０００３】
国際特許第００／５６５５６号（特許文献２）は、さらに両面接着キャリアを備えるセットの部分である非接着性イメージ・キャリアについて記載している。接着性キャリアは、被着体へは良好な接着性を有し、イメージ・キャリアには剥離可能な接着性を有することが好ましく、したがってイメージ・キャリアは、接着性キャリアが所定の位置に残っている間に、別のキャリアと交換することができる。
【０００４】
英国特許第２２４４５８５Ａ号（特許文献３）は、ウィンドウに貼り付けられ、透明材料の一方側の粘着性または自動接着剤層、および少なくとも１つの印刷物を備える層、さらに１色の層を備えるポスターを開示し、前記接着性ポスターは多孔性である。
【０００５】
片面がシースルーで、他方側にイメージを設け、穴をあけた自動接着性箔も、既に知られている。米国特許第５，６０９，９３８号（特許文献４）は、吸光性カラー・コートを設けた後面と、イメージを保持する前面とを有し、多孔性プラスチック・パネル・アセンブリである一方向から見えるディスプレイ・パネルを開示している。特定の実施形態では、白い不透明の中間パネルがあるか、光反射性のイメージを黒い被着体に与えることができる。このようにイメージを保持するパネル・アセンブリには、接着性で剥がすことができる層を設け、アセンブリ全体が多孔性である。片面に接着剤を設けたパネルの代替品として、静電粘着性材料を備えるパネルを使用することができ、プラスチック・パネル・アセンブリの代替品として、ディスプレイ・パネル・アセンブリは、片面には光反射性のカラー・イメージを印刷し、後面は暗い色の吸光性コーティングを印刷するか被覆した１枚の多孔性薄膜を備えることができる。
【０００６】
特に室内に取り付けるための別の実施形態が、国際特許第９９／６５６８０号（特許文献５）に記載されている。そこに記載されたグラフィック商品は、イメージ作成可能な多孔性薄膜層と、多孔性でない取付け構成要素とで作成される。前記グラフィック商品は、不透明な吸光性層と、メージ作成可能な表面を有して不透明な、好ましくは光反射性の層とで構成され、イメージ作成可能な多孔性薄膜層にイメージを作成し、次にイメージ作成した表面を、第２表面に感圧性接着剤の層を有する取付け構成要素の加熱活性化接着層に接着する。吸光性の側には、多孔性でない透明な保護箔を設けることができる。
【０００７】
上述した自動接着性箔は、通常、窓の内面または外面に適用するよう意図される。
【０００８】
これらの箔では、適用後にこのような箔を与えたライナーは処分され、これらの箔では、これを付着させた表面から外すか、それを交換すると、問題になることがある。というのは、取り付けるために使用する接着剤が、一方では環境の影響で、または穏やかな破壊行為のために箔を簡単に剥がせないことを保証するために十分に良好な接着性を有する必要があるが、他方では、特定の時間の後、痕跡を残さず、特殊で穏やかな除去方法を適用することにより、簡単に取り外せねばならないからである。同じ表面にその後に適用される箔の透明性に影響しないので、痕跡のない除去は重要である。
【０００９】
これらの片面シースルー自動接着性箔のさらなる欠点は、その適用を特定の表面で実行しなければならず、製造側では、自動接着性箔と同時に穴をあけるライナーが、ごみとして廃棄されることである。
【００１０】
さらに、多孔性箔にイメージ作成すると、色が孔を通過して吸光性表面を汚染し、それによってその透視に影響を与えることがある。
【００１１】
したがって、上述した欠点を実際に克服し、片面が透明（シースルー）で、他方の面がイメージを保持するグラフィック製品および中間体および生産方法に対するニーズがなおある。
【００１２】
【特許文献１】英国特許第２２１７２５６号
【特許文献２】国際公開第００／５６５５６号
【特許文献３】英国特許第２２４４５８５Ａ号
【特許文献４】米国特許第５，６０９，９３８号
【特許文献５】国際公開第９９／６５６８０号
【発明の開示】
【発明が解決しようとする課題】
【００１３】
したがって、本発明のポスター材料またはポスター、特に規則的に配置された穴のために片側シースルーで、第１側に印刷可能な表面、および第２側で吸光性である表面を有し、それによってポスター材料が非接着性であるポスター材料、およびポスター材料が光反射性第１側に情報を保持するポスターの生産において、中間体として適切な接着コンパウンドを設けることが、本発明の目的である。
【００１４】
印刷可能な接着コンパウンドを生産し、非接着性ポスターを準備する方法を提供することが、本発明の別の目的である。
【課題を解決するための手段】
【００１５】
本発明は、非接着性ポスターの生産に使用するのに適した接着コンパウンドで、前記接着コンパウンドは、少なくともポスター被着体（１）を有するポスター材料と、キャリア被着体（２）を有するキャリア材料とを備え、前記ポスター材料および前記キャリア材料は、接着剤層（２０）によって分離可能な状態で相互に結合され、前記ポスター材料は、第１側に、印刷可能であるか、イメージを受けるコーティングを直接または前処理後に設けることができる表面（３）を、第２側には、吸光性表面（４）を有し、前記接着剤層（２０）は、前記ポスター材料に対してより前記キャリア材料に対して良好な接着性を有し、したがって前記ポスター材料と前記キャリア材料とを分離した後、前記接着剤層（２０）が前記キャリア材料上に残り、前記ポスター材料が、少なくとも１つの区域に、規則的に分布した、または規則的パターンで分布した穴（５０）を有し、したがって前記吸光性表面（３）を有する前記第２側からは透けて見える接着コンパウンドである。
【００１６】
前記ポスター材料の前記キャリア材料に面する側が、吸光性表面（４）を有する第２側である。
【００１７】
前記第１側で、前記ポスター材料が印刷可能表面（３）を有する。
【００１８】
前記ポスター材料が、直接にまたは前処理後にイメージを受ける層／コーティング（２４）を設けることができる表面（３）を有する第１側を有する。
【００１９】
前記ポスター材料の前記第１側の前記表面（３）が光反射性である。
【００２０】
前記キャリア材料が、印刷可能であるか、直接にまたは前処理後に設けることができるイメージを受ける層／コーティング（２４）を有する表面（５）がある第１側と、吸光性である表面（６）がある第２側とを有し、前記キャリア材料の前記吸光性第２側が前記ポスター材料に面する。
【００２１】
前記キャリア材料の前記第１側が、光反射性である表面（５）を有する。
【００２２】
前記ポスター材料および前記キャリア材料が、規則的に分布した穴（５０）を少なくとも１つの区域に有する。
【００２３】
前記穴（５０）が、それぞれパーフォレーションまたはパンチ穴（５０）である。
【００２４】
前記キャリア材料が穴（５０）を有さない。
【００２５】
前記ポスター材料の前記第１側に情報（３０）を、特にイメージおよび／またはテキストを設ける。
【００２６】
前記キャリア材料の前記第１側が、本質的に印刷可能である表面（５）を有するか、イメージを受けるコーティングによる。
【００２７】
前記キャリア材料の前記第１側の前記表面（５）に情報を印刷する。
【００２８】
前記ポスター材料の前記第１および／または前記第２側の前記表面（３、４）および／または前記キャリア材料の前記第１および／前記第２側の前記表面（５、６）が、個々の側に適用した層のため、または前記ポスター被着体（１）または前記キャリア被着体（２）の染色のため、吸光性および／または光反射性である。
【００２９】
前記ポスター被着体（１）および／または前記キャリア被着体（２）がコンパウンド材料、特に積層品である。
【００３０】
前記ポスター材料の前記第１側および／または前記キャリア材料の前記第１側が、白い、または金属化したように、特にアルミ蒸着したように見える表面（３、５）を有し、かつ／または前記ポスター材料および／または前記キャリア材料の前記第２側の前記吸光性表面（４、６）が黒く見える。
【００３１】
前記ポスター材料および場合によっては前記キャリア材料の少なくとも１つの区域に、規則的に分布する穴（５０）を設け、したがって前記穴（５０）が１ｍｍから５ｍｍ、好ましくは１ｍｍから２ｍｍの直径を有し、前記穴（５０）が、規則的に分布した穴（５０）、特に円形穴（５０）を有する全ての区域の３０％から６０％、好ましくは３０％から５０％になる。
【００３２】
前記ポスター材料および／前記キャリア材料が、吸光性カラー紙または吸光性層（３２）を有するコート紙を備えるか、前記ポスター材料が、吸光性カラー・プラスチック箔、または吸光性層（３２）をコーティングしたプラスチック箔を備えるか、前記ポスター材料および／または前記キャリア材料が、多層コンパウンド材料、特に紙およびプラスチック（合成材料）、または幾つかのプラスチックで作成したコンパウンド材料、または紙および／またはプラスチックおよび１つまたは複数のさらなる材料で作成したコンパウンドを備えるか、前記ポスター材料がパルプ織物、特にテキスタイル繊維および／または合成繊維で作成した透かし細工織物を備える。
【００３３】
前記ポスター材料および／または前記キャリア材料に少なくとも１つの補助層、特に半透明／透明の分離／剥離層（２３）および／または前記ポスター材料の前記第２側の保護層または前記ポスター材料および／または前記キャリア材料の前記第１側の印刷性を改善する補助層を設ける。
【００３４】
前記接着コンパウンドに情報を、および前記情報上に少なくとも１つの追加層、特に摩耗の軽減、光の安定性／耐光性の強化、耐候性の強化および／または落書きからの保護のための１つまたは複数の保護層（３４）を設ける。
【００３５】
前記キャリア材料の両側に接着剤層（２０、２０’）を設け、前記キャリア材料の両側に、ポスター材料を、好ましくは穴（５０）を有するポスター材料を設ける。
【００３６】
前記キャリア材料が一方側でのみ接着剤層（２０）と接触するか、それが設けられている。
【００３７】
前記ポスター材料の穴（５０）を有する全ての面積の合計、および任意選択で前記キャリア材料の穴（５０）を有する全ての面積の前記合計が、前記接着コンパウンドまたは前記ポスター材料それぞれの合計面積の少なくとも５０％、好ましくは少なくとも７５％、特に少なくとも９０％、特に好ましくは約１００％であり、はるかに好ましくは前記キャリア材料の穴（５０）を有する全ての面積の合計が０％、または前記ポスター材料の穴（５０）を有する全ての面積の合計と等しい。
【００３８】
本発明は、接着コンパウンドを使用して片面シースルー非接着性ポスターを生産する方法で、
印刷可能な接着コンパウンドが、少なくともポスター被着体（１）を有するポスター材料およびキャリア被着体（２）を有するキャリア材料を備え、前記ポスター材料および前記キャリア材料が、接着剤層（２０）によって分離可能な状態で相互に結合され、前記ポスター材料が、第１側に光反射性である印刷可能表面（３）を、第２側に吸光性表面（４）を有し、前記ポスター材料には、これが片面シースルーであるよう、少なくとも１つの区域に穴（５０）を設け、前記ポスター材料は、前記キャリア材料から分離した後、接着剤層（２０）が全くなく、
前記ポスター材料の前記第１側に、および任意選択で前記キャリア材料の前記第１側に印刷され、前記ポスター材料の前記第１側および／または前記キャリア材料の前記第１側に、任意選択で前記情報（３０）上の保護層を設け、次に前記ポスター材料を前記キャリア材料から分離する方法である。
【００３９】
本発明は、印刷可能な接着コンパウンドを生産する方法で、ポスター材料は、第１側に、印刷可能であるか、イメージを受けるコーティングを直接または前処理後に設けることができる表面（３）を、第２側には、吸光性表面（４）を有し、少なくとも１つの区域に規則的に、または規則的なパターンで分布した穴（５０）を有し、したがって分離した形態では、前記第２側から透けて見え、吸光性表面（４）は、接着剤層（２０）によって穴がないキャリア材料に除去できる状態で接着／付着し、任意選択でイメージを受けるコーティング（２４）および／または光反射性コーティングが設けられ、前記接着剤層（２０）が、前記ポスター材料に対してより前記キャリア材料に対して良好な接着を有し、したがって前記ポスター材料と前記キャリア材料を分離した後、前記接着剤層（２０）が前記キャリア材料上に残る方法である。
【００４０】
第１側に印刷可能な表面（３）、または直接にまたは前処理後にイメージを受けるコーティング（２４）を設けることができる表面（３）を備え、第２側には吸光性表面（４）を有するポスター材料には、少なくとも１つの区域にパーフォレーションによって穴（５０）を設けて、少なくとも１つの区域で片面シースルーであるポスター材料を生産する。
【００４１】
ベース接着コンパウンドが、少なくともポスター被着体（１）を有するポスター材料、およびキャリア被着体（２）を有するキャリア材料を備える状態で、少なくとも１つの区域で片面シースルーである前記ポスター材料を生産し、前記ポスター材料および前記キャリア材料が接着剤層（２０）によって分離可能な状態で相互に接続／結合され、前記ポスター材料が、第１側に、印刷可能であるか、イメージを受けるコーティングを直接または前処理後に設けることができる表面（３）を、第２側には、吸光性表面（４）を有し、前記接着剤層（２０）が、前記ポスター材料に対してより前記キャリア材料に対して良好な接着を有し、したがって前記ポスター材料と前記キャリア材料を分離した後、前記接着剤層（２０）が前記キャリア材料上に残り、少なくとも１つの区域にパーフォレーションによって穴（５０）を設け、前記穴（５０）が接着コンパウンド全体を通過し、前記ポスター材料と前記キャリア材料が分離される。
【００４２】
第１側に印刷可能な表面（３）、または直接にまたは前処理後にイメージを受けるコーティング（２４）を設けることができる表面（３）を備え、第２側には吸光性表面（４）を有し、穴がないポスター材料／被着体（１）を、前記ポスター被着体（１）が第１表面（３）を提供する状態で、前記ポスター被着体（１）の前記第２側の表面に吸光性コーティングを適用するか、吸光性層（３２）および印刷可能層または直接または前処理後にイメージを受ける層（２４）を設けることができる層の積層品を生成することによって作成し、このように生産したポスター材料を、次に前記キャリア材料から分離後に前記ポスター材料に接着特性が全くなくなるよう、キャリア材料と接続／結合する状態で、前記ベース接着コンパウンドを生産する。
【００４３】
第１側に使用する前記キャリア材料が、印刷可能な表面（５）、または直接的にまたは前処理後にイメージを受ける層（２４）を設けることができる表面（５）を有し、第２側に吸光性表面（６）を有し、前記吸光性表面（６）がある前記第２側上の前記キャリア材料が接着剤層（２０）を有する。
【００４４】
印刷可能接着コンパウンドの生産プロセスの任意のステップで、前記ポスター材料および任意選択で前記キャリア材料に、イメージを受ける層（２４）および／または光反射性表面（３、５）および／または少なくとも１つの補助コーティングを設ける。
【００４５】
本発明は、片面シースルー非接着性ポスターの生産に、上記接着コンパウンドを使用する。
【００４６】
本発明は、情報を配布するための片面シースルー非接着性ポスターの使用で、請求項１から３１いずれか１項に記載のポスター材料を備えるポスターが、少なくとも１つの区域に規則的に分布した穴（５０）を有し、第１側に、光反射性であり前記光反射性第１側の情報（３０）を載せる表面（３）を、第２側に吸光性表面（４）を有し、ポスター材料が第１側にも第２側にも非接着剤層（２０）を有さず、吊り下げるか、窓に取り付けるか、表面に配置するか、任意選択で枠にて安定させることを特徴とする使用である。
【００４７】
本発明の非接着性で片面シースルーのポスター材料またはポスターの生産で適切な中間体は、少なくともポスター被着体を有するポスター材料、およびキャリア被着体を有するキャリア材料を備えるという特徴によって実現される接着コンパウンドであり、前記ポスター材料および前記キャリア材料が、接着剤層によって別個に相互に接続され、前記ポスター材料が、第１側には、印刷可能であるか、イメージを受けるコーティングを直接または前処理後に設けることができる表面を、第２側には、吸光性表面を有し、前記接着剤層が前記ポスター材料に対してより前記キャリア材料に対して良好な接着性を有し、したがって前記ポスター材料と前記キャリア材料とを分離した後、前記接着剤層が前記キャリア材料上に残り、前記ポスター材料が、少なくとも１つの区域に、規則的に分布した穴または規則的パターンで分布した穴を有し、したがって分離した形態では、前記吸光性表面を有する前記第２側からは透けて見える。
【００４８】
以下の詳細な説明を考察すると、本発明がさらによく理解され、上記で述べた以外の目的が明白になる。そのような説明は、添付図面を参照する。
【００４９】
（定義）
本明細書で使用する用語が、所期の通りに解釈されるのを保証するため、以下で幾つかの定義を与える。
【００５０】
ポスター材料／ポスター被着体は、ここで言及した特徴を有する材料を指す。これはポスター被着体で構成できるか、ポスター材料に帰された最小限の特徴を満足する限り、幾つかの追加層を備えることができる。製造方法、または層／コーティングを適用する種類は関係ない。
【００５１】
キャリア材料／ライナー材料／キャリア被着体／ライナー被着体は、少なくともキャリア／ライナー材料／被着体を指すが、キャリア材料に帰される最小限の特徴を満足する限り、多様な層／コーティングを備える材料でもよい。製造方法、コーティング／層を適用する種類は関係ない。
【００５２】
本発明の範囲内で、ポスター材料またはキャリア材料に要求される全ての特徴を提供するか、これらの材料のそれぞれ担体支承部または一体成分で、他の層またはコーティングとともに前記材料を形成する場合、材料は被着体と呼ばれる。被着体として使用するのに適切な材料は、例えば金属、プラスチック、ガラス、セルロース製品、例えば紙または厚紙、合成紙、織物、不織布、さらに多層材料、例えば前述した材料の１つまたは複数から作成した同時押し出し製品および積層品である。
【００５３】
吸光性とは、当たる光の少なくとも６０％、好ましくは８０％、特に１００％が吸収される、という意味である。
【００５４】
光反射性とは、当たる光の少なくとも６０％、好ましくは８０％、特に１００％が反射する、という意味である。
【００５５】
コーティングとは、液体または固体の形態で別の材料の適用される層材料を意味する。コーティングの例は、接着コーティング、プライマ・コーティング、剥離コーティング（例えばシリコン）、黒い顔料を施したプラスチック・コーティングなどの吸光性コーティング、白い顔料を施したプラスチック・コーティングなどの光反射性コーティング、およびメタライゼーションを含む。コーティングの適用／取付けを実行する方法は、印刷、リバース・ロール・コーティング、ブレード・コーティングなどである。コーティングは、被着体とは対照的に、支承部または一体成分ではない。つまり形状にも機械的強度にも係わらない。
【００５６】
非接着性、非付着性とは、接着性コーティングも、特定の表面に接着させる静電気力もないことを意味する。
【００５７】
「穴のある」、「多孔性」、「穴を設けた」、「穴をあけた」、「多孔性」、「ダイカット」という用語は全て、材料を含む区域と材料がない区域とが規則的パターンで交互になる材料を延べ、この用語の一部は、特定の製造ステップまたは方法で生産した製品を指定する。「穴のある」という用語は、何らかの種類の穴のために半透明／シースルーである材料を指す。つまり透かし細工の織物、さらに元は連続的であったが、パーフォレーション、パンチング、ダイカットなどによって穴を設けた材料を含む。
【００５８】
本発明の範囲内で、穴とは、材料の中の材料がない全ての区域または開口を意味する。穴は、例えば織物または組紐などの生産中に直接作成するか、後に手作業または機械によって作成することができる。これは、例えば円形、多角形、規則的または不規則的、対称または非対称など、幾つかの形状を有することができ、目で構造またはそのシーケンスが規則的であると認識される限り、１つの区域内で異なる穴の形状、穴のパターンおよび穴のサイズが生じることができる。
【００５９】
穴の構成に対して規則的とは、透明性が不規則性によって影響を受けないという意味である。穴のあいた繊維質材料の規則性は、大抵、パーフォレーションの規則性より低い。パーフォレーションの規則性は、近位穴間、または穴路間の材料厚さが最大で２０％、好ましくは最大で１０％、最も好ましくは０％変化するような規則性である。
【００６０】
補助層は、例えばポスター材料またはキャリア材料それぞれのプライマ・コーティング、接着剤コーティング、材料の分離を容易にする分離／剥離コーティング、および材料の望ましくない混合／拡散を防止するバリア・コーティングでよい。補助層は、必要に応じて追加層として設けることができる。
【００６１】
追加層は、最終製品（ポスター）を改善するが、接着コンパウンドに影響を与えず、ポスターの製造プロセスにおけるその使用にも影響を与えない層／コーティングなどである。このようなコーティングは、特に、保護または特殊効果の生成のために情報の上に使用する保護層である。このような層は、特に、摩耗を軽減したり、耐光性を向上したり、耐候性を向上したり、落書きから保護したりするよう働く層である。
【００６２】
ポスター材料、キャリア材料または接着コンパウンドに関する「側」および「表面」という用語は、それぞれほぼ同義で使用される。
【００６３】
表面が吸光性または光反射性である、または吸光性または光反射性に見えるという記述は、吸光性または光反射性コーティングと表面の間、または吸光性または光反射性被着体と表面との間に無色または透明コーティング／層を備える表面も含む。
【００６４】
本明細書では、「接着コンパウンド」という用語は、少なくとも１つのポスター材料および１つのキャリア材料を備え、分離可能な状態で相互に結合された全ての材料に使用する。これが現れる方法のステップに応じて、さらに、例えば穴を設けた接着コンパウンド用の基本接着コンパウンド、コンパウンド全体を通る穴を備える接着コンパウンドの多孔性接着コンパウンド、および少なくとも情報の適用にとって望ましい全てのコーティングおよび特性を備えた接着コンパウンドの印刷可能な接着コンパウンドとして指定することができる。本発明の接着コンパウンドはいずれも、本発明の非接着性ポスター生産の様々なステップで、中間体として適している。
【発明を実施するための最良の形態】
【００６５】
非接着性片面シースルー・ポスターの生産に使用するのに適した本発明の接着コンパウンドは、少なくともポスター被着体１を有するポスター材料と、キャリア被着体２を有するキャリア材料とを備え、前記ポスター材料および前記キャリア材料は、接着剤層２０によって分離可能な状態で相互に結合され、前記ポスター材料は、第１側に、印刷可能であるか、イメージを受けるコーティングを直接または前処理後に設けることができる表面３を、第２側には、吸光性表面４を有し、前記接着剤層２０は、前記ポスター材料に対してより前記キャリア材料に対して良好な接着性を有し、したがって前記ポスター材料と前記キャリア材料とを分離した後、前記接着剤層２０が前記キャリア材料上に残り、前記ポスター材料が、少なくとも１つの区域に、規則的に分布した、または規則的パターンで分布した穴５０を有し、したがって前記吸光性表面４を有する前記第２側からは透けて見える。
【００６６】
本発明の範囲内で、上述した特性を備える限り、幾つかのプロセス中間体を接着コンパウンドと呼ぶ。
【００６７】
本発明のポスター材料またはポスターは、全く接着特性を有さない。つまり、いわゆる「粘着」特性など、静電または他の接着特性がない。
【００６８】
本発明の接着コンパウンドの特定実施形態は、２つ以上の以下の追加特徴の１つまたは任意の妥当な組合せを備え、これによってこのような追加特徴は、ポスター生産方法の別のステップでコンパウンドを中間体として適切なものにすることができる。
【００６９】
本発明の接着コンパウンドは、例えば規則的に分散した材料を含む区域と材料がない区域（穴５０）とにより半透明／シースルー（透かし模様、多孔性）になるポスター材料を備えることができる。
【００７０】
材料を備える区域および材料がない区域とのこのような構成は、例えば規則的な繊維質材料で生じるか、以前には半透明／シースルーではなかった持続性材料を穿孔することによって生成することができる。本発明の好ましい接着コンパウンドでは、穴はそれぞれパーフォレーション穴またはパンチ穴である。
【００７１】
接着コンパウンドの好ましい実施形態では、ポスター材料のキャリア材料に面する側が、第２吸光性側４である。これは特に、接着コンパウンドが連続的キャリア２上に既に穴５０を有するポスター材料を備える場合に当てはまる。
【００７２】
接着コンパウンドの１つの実施形態では、ポスター材料は、第１側に情報を直接印刷することができる表面３を有し、別の実施形態では、イメージを受ける層／コーティング２４を設けることができる表面３を備える。イメージを受けるコーティング２４を設けることができる表面は、イメージを受ける層／コーティング２４で、または表面のプライマー処理および／またはコロナ処理などの前処理後に、直接仕上げることができる。
【００７３】
印刷可能な表面３を有するポスター材料は、例えば紙などの印刷可能な材料、またはイメージを受ける層／コーティング２４が既に適用されている材料、例えばインク・ジェット層で被覆した箔でよい。イメージを受ける層２４を設けることができる表面３は、被覆できるか、液体塗布、溶着または積層によって接着コンパウンドを傷つけることなく他の方法で個々の層に組み合わせるか、接続することができる任意の表面である。
【００７４】
キャリア材料へのポスター材料の付着は、例えば押し出し、溶着または好ましくは接着などによって達成することができ、これにより接着プロセスでは、接着剤層２０をポスター材料とキャリア材料との間に配置する。接着剤層２０は、ポスター材料に対してよりキャリア材料に対して強力に付着し、したがってポスター材料とキャリア材料とを分離した後、前記接着剤層２０はキャリア材料上に残る。特に、多孔性ポスター材料および連続的キャリア材料を有する接着コンパウンドには、接着剤層２０が通常、存在する。
【００７５】
ポスター材料は、ポスター被着体１を備えることができる。ポスター被着体１は、均一な材料または材料コンパウンド、特に異なる色の箔などの等しい材料または異なる材料から作成した積層品でよい。
【００７６】
ポスター材料の第１側は、光反射性表面３、例えばポスター被着体１の一部であり光が反射する箔、または光反射性層／コーティングまたは光反射性プリントを有することができる。ライト・イエロー、ライト・ベージュ、特に白などの非常に明るい色は、通常、光反射性と考えられる。特殊効果を得るために、アルミニウム蒸着などの光反射性メタライゼーションを使用することができる。
【００７７】
また、吸光性表面４は、特に、ポスター材料の個々の側にコーティングするか、適切な色のポスター被着体１自体によって設けることができる。非常に暗い色、特に黒は、適切に光を吸収すると考えられる。付着を調整するか、耐摩耗性および／またはＵＶ抵抗性を増加させる層などの吸光性表面４に加えた補助層は、吸光性に影響を及ぼさない。本発明の範囲内で、このような補助コーティング／層は、ポスター材料に属すると考えられる。
【００７８】
適切に装備すると、パーフォレーション・ステップに存在するキャリア材料は、つまり最新技術の製品を透かして見える他方側から情報を送る一方側として、つまり例えば窓枠などに取り付けることができるイメージ（情報）に使用することもできる。したがって本発明の特定の接着コンパウンドは、それぞれ印刷可能な表面５の第１側、およびそれぞれ光を吸収する表面６の第２側を伴うキャリア材料を有する。キャリア材料の第１側５は、光反射性表面も有することが好ましい。キャリア材料とポスター材料との間で、このような接着コンパウンドは一般に、ポスター材料に対してよりキャリア材料に対して強力な接着性を有する接着剤層／コーティング２０を有し、これによってキャリア材料の吸光性第２側６は接着剤層／コーティング２０およびポスター材料へと向かう。
【００７９】
キャリア材料の吸光性または光反射性表面５、６は、ポスター材料に関する以上の説明に従い生成することができる。キャリア材料に使用するキャリア被着体２は、材料コンパウンド、特に積層品でもよい。
【００８０】
したがって、本発明の特定の接着コンパウンド中間体では、ポスター材料とキャリア材料との両方が、少なくとも１つの区域に規則的に分布する穴５０が設けられ、前記穴５０はそれぞれパーフォレーション穴５０またはパンチ穴５０であることが好ましく、同一の穴５０であることがはるかに好ましいが、穴は全てが同一ではなく、規則的に繰り返す穴のパターンを形成することも同様に可能である。
【００８１】
パーフォレーション後、このような接着コンパウンドのキャリア材料は、先行技術による接着性の片面透明ポスター材料として使用することができる。環境に良好な効果（材料およびエネルギーの節約）以外に、これはパーフォレーション費用を二分し、材料費を節約すること（多孔性キャリアは廃棄し、処分する必要がない）にもつながる。
【００８２】
他の特徴は前述した通りの接着コンパウンド中で接着剤層２０が失われた場合、ポスター材料、さらにキャリア材料（非接着性の場合）を処理して、上述した利点を有する本発明によるポスターにすることができる。分離可能であり、分離後は自身ではどの表面にも粘着または付着しないコンパウンド材料が、当業者には知られている。
【００８３】
本発明の特定の接着コンパウンドに使用するのに適した特定のポスター材料は、吸光性着色紙または吸光性コート紙、吸光性カラー・プラスチック箔を設けた材料、吸光性コーティングを設けた、またはそれを含む合成箔、複数の層状コンパウンド織物である、またはそれを含む材料、特に紙および合成織物、様々な合成織物で作成したコンパウンド織物、紙および／または合成織物および１つまたは複数のさらなる材料で作成したコンパウンド、パルプ織物、特にテキスタイルおよび／または合成繊維で作成した透かし織りを含むグループから選択したポスター材料を含む。
【００８４】
本発明の特定の接着コンパウンドに使用するのに適した特定のキャリア材料は、吸光性着色紙または吸光性コート紙、吸光性カラー・プラスチック箔を設けた材料、吸光性コーティングを設けた、またはそれを含む合成箔、複数の層状コンパウンド織物である、またはそれを含む材料、特に紙および合成織物、様々な合成織物で作成したコンパウンド織物、紙および／または合成織物および１つまたは複数のさらなる材料で作成したコンパウンドを含むグループから選択したキャリア材料を含む。
【００８５】
接着コンパウンドに穴５０を設ける、つまり穴がある状態にする一つの可能性は、生産中に接着コンパウンド全体を通して実行されるパーフォレーション、およびパーフォレーションの方向に直角の方向で、少なくとも特定の区域、および好ましくは接着コンパウンド全体で実行することによるものである。このような多孔性接着コンパウンドも本発明の接着コンパウンドである。さらなる生産ステップで、このような接着コンパウンドを分離し、単純に印刷印刷したり、吸光性表面を汚染から保護したりするために、多孔性材料を新しい連続的（つまり穴がない）キャリア材料に加えることができる。
【００８６】
本発明に使用する別の接着コンパウンド中間体では、キャリア材料には穴がない。これは、例えばそれぞれパーフォレーションまたはパンチ前の接着剤コンパウンド中間体、またはパーフォレーションまたはパンチ後、第１側に光反射性表面および／またはイメージおよび／またはテキストなどの情報を設けるポスター生産ステップ中に吸光性表面を保護するため、パーフォレーション／パンチしたキャリアを保護キャリアと交換してある接着コンパウンドの場合である。
【００８７】
生産方法のその後の段階で、ポスター材料の第１光反射性表面３には情報３０を、特にイメージおよび／またはテキストを設ける。このような情報を載せた接着コンパウンドを得ることも、本発明の目的である。
【００８８】
キャリアを処分してはならない場合、本発明の接着コンパウンドのキャリア材料の第１側は、印刷可能であるコーティングまたはイメージを受けるコーティングを特徴とする表面５を有することができる。次に、このような接着コンパウンドのキャリア材料の第１側の表面５に、情報３０を印刷することができる。このような情報を設けた連続的キャリアには穴がないので、シースルーの用途では少なくとも部分的に透明でなければならない。透明でない場合は、不透明な表面に実行することが好ましい。
【００８９】
既に上記で簡潔に述べたように、ポスター材料の第１側の表面３および／または第２側の表面４および／またはキャリア材料の第１側の表面５および／または第２側の表面６は、例えば個々の側に加えた少なくとも１つの層が、要求された吸光性または光反射性特性を有するので、それぞれ吸光性および／または光反射性でよい。
【００９０】
別の実施形態では、本発明の接着コンパウンドのポスター材料の第１側の表面３および／または第２側の表面４および／またはキャリア材料の第１側の表面５および／または第２側の表面６は、ポスター被着体１および／またはキャリア被着体２の染色のため、吸光性および／または光反射性である。
【００９１】
接着コンパウンドの別の実施形態では、ポスター被着体１および／またはキャリア被着体２はコンパウンド材料、特に積層品である。このようなコンパウンド材料は、光反射性または吸光性の表面のうち少なくとも一方、好ましくは両方を提供するよう選択することができる。
【００９２】
例えばコーティングによって１つまたは複数の吸光性または光反射性表面を提供するか、染色したりコンパウンド材料を使用したりして他の表面を提供するため、上述した可能性のうち２つまたは３つを混合することも可能である。
【００９３】
本発明の接着コンパウンドの好ましい実施形態では、ポスター材料の第１側の光反射性表面３および／またはキャリア材料の第１側の光反射性表面５は、白く、または金属化したように見え、ポスター材料の第２側の吸光性表面４および／またはキャリア材料の第２側の吸光性表面６は黒く見える。好ましくは金属化したように見える表面は、アルミ層のためにそのように見える。
【００９４】
材料がない区域５０、つまり穴を非常に規則的に配置することは、一方では良好な透視の視野を獲得し、他方では明白な絵などの情報がよく見えるために非常に基本的なことである。競い合う２つの要求の非常に優れた組合せは、ポスター材料の、および任意選択でキャリア材料の規則的に配置された材料を含む区域および材料がない区域が、材料のない区域の直径が１ｍｍから５ｍｍ、特に１ｍｍから２ｍｍであり、材料を含む区域はポスター区域の３０％から６０％、特に３０％から５０％を提供し、それによって材料がない区域と材料を含む区域との合計が１００％になるような場合に獲得される。
【００９５】
材料がない区域５０、つまり穴は、丸いことが好ましく、同一であることが非常に好ましい。このような穴は、パーフォレーション穴５０、パンチ穴５０であると有利である。
【００９６】
概して、穴５０がある全ての区域、例えば多孔性区域の合計は、接着コンパウンドまたはポスター材料またはポスターそれぞれの合計面積の少なくとも５０％、好ましくは少なくとも７５％、より好ましくは少なくとも９０％、特に好ましくは約１００％である。つまりポスター材料／ポスター全体が、場合によっては縁に隣接する小さい区域（「枠」）を除いて、穴５０のためにシースルーであることが好ましい。
【００９７】
好ましい実施形態では、ポスター材料および／またはキャリア材料は、ポスター材料の第２側に少なくとも１つの補助層／コーティング、特に半透明の分離／剥離層２３および／または保護層３４および／またはポスター材料および／またはキャリア材料の第１側には印刷性を改善する補助層を備える。
【００９８】
規則的に配置された（分布した）穴５０を設け、第１側に印刷可能な表面３または印刷可能な層／コーティングを設けることができる表面を有し、第２側に吸光性表面４を有し、それによってポスター材料が第１側３にも第２側４にも接着剤層２０がなく、特に第１側３は光反射性のポスター材料である上述した非接着性ポスター材料も、本発明の主題である。ポスター材料が、第１側３で既に印刷可能にされていると、特に好ましい。
【００９９】
光反射性の第１側３で、ポスター材料は情報を載せることができ、これで一般にポスターと呼ばれる。
【０１００】
特殊な印刷機を使用すると、例えば吸光性の側から余分な色を吸い取るか、印刷背斑にポスター材料を供給しながら、同時に保護材料（例えば柔らかさのために穴を「密封」する吸い取り紙または軟質プラスチック箔）を押し付けることにより、穴のあるポスター材料に直接印刷することが可能であるが、接着コンパウンドに印刷した後に切り離すことが好ましい。このような方法については、様々な代替方法を考慮しながら以下でさらに説明する。
【０１０１】
ポスター材料およびキャリア材料を備える接着コンパウンドは、ポスター材料とキャリア材料は分離可能な状態で相互に結合され、ポスター材料が、第１側には印刷可能であるか、イメージを受ける層２４を直接または前処理後に設けることができる表面３を、第２側には、吸光性表面４を有し、特にダイカットによって多孔性にする。次に、この接着コンパウンドを切り離し、実際の機器に応じて、キャリア材料は廃棄されるか、個々の接着コンパウンドの最新技術のポスター材料としてさらに処理される。
【０１０２】
上述したように獲得された本発明のポスター材料は、連続的（穴がない）キャリアに第２吸光性側４を加えることが好ましい。前記連続的キャリアは接着剤層２０を有し、これは残滓が全くない状態でポスター材料から剥離できることが好ましい。つまり、接着剤層２０が全てキャリア材料上に残る。次に、前記接着コンパウンドにコーティング・ステップ／印刷ステップを施し、ここでは要件に応じて、接着改善（プライマー）層および／または光反射性印刷またはコーティングおよび／またはイメージを受ける層２４および／または情報の印刷および／または保護層などのまだ存在しない層を加える。
【０１０３】
あるいは、ポスター材料のみを、つまりキャリア材料を除いて多孔性にし、さらに処理するためにこのような材料を多孔性でない連続キャリアに直接加えるか、このステップでポスター材料として適切な穴のある繊維質材料１６を使用することも可能である。
【０１０４】
さらなる実施形態では、本発明の接着コンパウンドのキャリア材料は、両側が粘着性のキャリア被着体１であり、この場合、このようなキャリア材料の両側がポスター材料で、特に穴５０を含むポスター材料で覆われる。生産ステップに応じて、キャリア材料も穴を有することができる。このようなコンパウンドは、例えば最初に第１側を、次に他方側を印刷するか、適切に装備した装置で両側を同時に印刷することにより、接着性キャリア材料の一方側に１つのポスター材料を備えるコンパウンドと同様、さらに処理することができる。このような連続的なポスター材料を有する「サンドイッチ」タイプの接着コンパウンドも、パーフォレーション・ステップに使用することができる。
【０１０５】
好ましい実施形態では、前記情報の上に既に情報３０を設けた本発明の接着コンパウンドは、少なくとも１つの追加層を、特に耐摩耗性を改善する層、色の安定性を向上させる層、耐候性を向上させる層、落書きから保護する層、および同じ種類または異なる種類の２つ以上の層を含むグループから選択された１つまたは複数の保護層３４を有する。
【０１０６】
情報３０および任意選択で保護層／コーティング３４を加えた後、ポスターをキャリアから分離することができる。（接着性ポスターとして使用するよう意図されていなければ）生産中により多くのキャリア材料が蓄積しているので、これは比較的簡単に収集し、再使用するかリサイクルすることができる。両面が接着性でコーティングされているキャリア材料を２つのポスター材料間に挟んだ実施形態では、キャリア材料は通常は処分される。というのは、このような材料が多孔性である場合、これは情報印刷ステップで、または接着性ポスターとして使用するのに適切ではなく、多孔性でない場合は、情報印刷中に汚染されることがあり、したがって制限された範囲でしか再使用できないか、例えば両側のポスターを同時に使用することが意図されている場合、ポスターとともに最終使用者に配布することができる。
【０１０７】
本発明の接着コンパウンドは、常に、印刷用のポスター材料の表面３もキャリア材料の反対側表面３も粘着質でないような接着コンパウンドであることを理解されたい。つまり、キャリア材料が一方の表面にのみ接着剤層２０を有するか、２つの接着剤層２０、２０’の場合、キャリア材料が２つのポスター材料に挟まれ、情報を印刷するよう意図された非粘着性の側が前記キャリアとは異なる方向に向く。
【０１０８】
第１側に規則的に配置された穴５０および印刷可能な表面３を、第２側に吸光性表面４を有し、上記で定義されたようなポスター材料も本発明の目的であり、前記ポスター材料は、第１側にも第２側にも接着層２０がなく、接着特性も全くない。
【０１０９】
本発明のポスター材料は、既に光反射性の第１側を有することが好ましい。それほど好ましくはない実施形態では、光反射性特性はその後に、例えば情報を設けるステップで加える。本発明の範囲内で、第１側に情報３０を設けたポスター材料も、代替的にポスターとされる。
【０１１０】
現在最も好ましい接着コンパウンドは、光反射性で、特に白い色の第１側と、吸光性で、特に黒い色の第２側とを有する多孔性ポスター材料と、連続的なキャリア材料と、前記ポスター材料の前記第２側と前記キャリア材料との間にある接着剤層２０とで構成され、前記接着剤層は、前記ポスター材料の分離後、前記キャリア材料上に残る。
【０１１１】
このような接着コンパウンドは、簡単に一般的な印刷機器で印刷し、既に印刷場所にあるキャリア／ライナー材料から分離することができ、したがってキャリア／ライナー材料は、適正に処分、再使用またはリサイクルするために容易に大量に収集することができる。
【０１１２】
本発明のポスターは、印刷可能な接着コンパウンドが、少なくともポスター被着体１を有するポスター材料およびキャリア被着体２を有するキャリア材料を備え、前記ポスター材料および前記キャリア材料が、接着剤層２０によって分離可能な状態で相互に結合され、前記ポスター材料が、第１側に光反射性である印刷可能表面を、第２側には吸光性表面を有し、前記ポスター材料がさらに、少なくとも１つの区域に穴５０を備え、したがって前記キャリア材料から分離した後、片側がシースルーで、接着剤層２０を全く備えず、さらに、前記ポスター材料の前記第１側に、および任意選択で前記キャリア材料の前記第１側に情報３０を印刷し、任意選択で保護層３４を前記ポスター材料の印刷した表面に、および任意選択で前記キャリア材料の前記任意選択印刷表面に適用し、最後に前記ポスター材料を前記キャリア材料から分離する状態で生産することができる。
【０１１３】
非接着性ポスターを生産しなければならないので、ポスター被着体１およびポスター材料も非接着性である。
【０１１４】
印刷可能な接着コンパウンドは、少なくとも１つの区域で片側がシースルーであり、第１側には印刷可能な表面３またはイメージを受ける層／コーティング２４を直接設けることができる層、または前処理後にこのようなコーティングを設けることができる表面３を有し、第２側には、吸光性表面４を有するポスター材料が、接着剤層２０によって穴がない（非多孔性、連続的）キャリア材料に分離可能な状態で貼り付けることで生成することができる。第１側が本質的に印刷可能でない場合は、イメージを受ける層／コーティング２４を設け、それでも光反射性でない場合は、直接に、またはイメージを受ける層２４を加えた後、光反射性コーティングまたは層を設ける。
【０１１５】
本発明の方法では、少なくとも１つの区域で片側がシースルーであるポスター材料を、第１側に印刷可能表面３を、第２側に吸光性表面４を備えたポスター材料に、パーフォレーションによってその少なくとも１つの区域にて穴５０を設ける状態で生産する。印刷可能表面３を有するポスター材料の代わりに、イメージを受ける層／コーティング２４を直接設けた表面３、または前処理後にこのような層／コーティング２４を設けた表面を有するポスター材料を適用することができる。
【０１１６】
少なくとも１つの区域で片側がシースルーであるポスター材料は、少なくともポスター被着体１を有するポスター材料およびキャリア被着体２を有するキャリア材料を備える開始またはベース接着コンパウンドを使用して生産することができ、前記ポスター材料および前記キャリア材料は、接着剤層２０によって分離可能な状態で相互に接続され、したがって前記キャリア材料からの分離後、前記ポスター材料は接着剤層２０を示さず、前記ポスター材料は、第１側に印刷可能表面３を、第２側には吸光性表面４を有し、前記開始またはベース接着コンパウンドには、完全な開始またはベース接着コンパウンドを貫通するパーフォレーションによって、少なくとも１つの区域に穴５０を設け、次に、このように生成された接着コンパウンドを分離して、多孔性ポスター材料および多孔性接着性キャリア材料を与える。印刷可能表面３を有するポスター材料の代わりに、イメージを受ける層２４を直接設けた表面３、または前処理後にこのような層２４を設けることができる表面を有するポスター材料が適切である。
【０１１７】
本発明の方法は、穴のないポスター被着体の第２側に吸光性層／コーティング３２を、任意選択で第１側に印刷可能コーティングまたはイメージを受けるコーティング／層２４を設けることによってベース接着コンパウンドを作成するステップと、ポスター材料を分離可能な状態でキャリア材料と接続するステップとを含むこともでき、それによって前記キャリア材料の分離後に、前記ポスター材料は接着剤層を全く含まない。
【０１１８】
代替的なベース接着コンパウンドを生産する方法は、一般に、分離可能な状態で穴がないポスター被着体をキャリア材料に接続することを含み、ここでポスター材料は、吸光性層３２および印刷可能層または直接にまたは前処理後にイメージを受けるコーティング２４を設けることができる層を生成することで生成され、キャリア材料の分離後、ポスター材料は接着剤層２０を全く含まない。
【０１１９】
好ましい方法では、使用するキャリア材料は第１側に印刷可能コーティング、または直接にまたは前処理後にイメージを受けるコーティング２４を設ける表面５を、第２側に吸光性表面６を有する。本発明の方法は、キャリア材料の第１側に印刷可能コーティングを、または任意選択で前処理後にイメージを受けるコーティング２４を、第２側に吸光性表面６を設けるさらなるステップも含むことができる。
【０１２０】
本発明で使用するキャリア材料には、その第２側の吸光性表面６に接着コーティング２０を設けることができる。
【０１２１】
ポスター材料および任意選択でキャリア材料には、印刷可能接着コンパウンドの生産方法の任意のステップで、イメージを受ける層／コーティング２４および／または光反射性表面および／または少なくとも１つの補助層／コーティングを、このような層／コーティングがコンパウンドのさらなる使用に影響を及ぼさない限り、設けることができる（例えば耐摩耗性を改善するか、落書きに対して保護するが、十分に印刷することができない補助層／コーティングは、初期のステップでは適用してはならず、情報を印刷後のみ適用する）。
【０１２２】
本発明の好ましい方法は、少なくとも幾つかのステップにおいて排出する必要がなく、他の用途で使用することができるキャリア材料、例えば片側シースルー接着性ポスターのポスター材料として多孔性キャリアを、不透明表面に使用する接着性ポスターとして非多孔性キャリアを有する特定の接着コンパウンドを使用して、材料および費用を節約する方法である。
【０１２３】
片側に印刷され、他方側から通して見ることができ、上述したように生産したポスターは様々な方法で、吊り下げるか掲示する（立てる）ことができる。例えば必要に応じて、つまり材料自体が寸法的に十分に安定していない場合は、室内またはショーウィンドウーに見えやすさおよび透明性に影響しない枠で安定化させるか、窓ガラス／ウィンドウにもたれ掛ける（しかし付着させない）、または追加的に安定させずに室内に吊すなどである。
【０１２４】
本発明の特定の実施形態を、図面によって以下でさらに説明する。これらの図は、実施形態の例を表すにすぎず、いかなる意味でも添付請求の範囲に記載された本発明を制限するとは解釈されない。
【０１２５】
図１は、９段階で、キャリアなしで、多孔性であるポスター材料から開始するポスターの生産方法を示す。
【０１２６】
ステップ１は、ローラ７０によって吸光性の、特に黒い色のコーティング３２をポスター被着体１に適用することを示す。このようなコーティング３２の適用は、例えば流体材料のコーティングまたは適切な箔の積層によって達成することができる。ポスター被着体１の第１側または表面３は、複数の印刷方法によってイメージおよび／または他の情報３０を適用するのに適している。この第１ステップの結果は、上述したようなポスター材料である。ステップ２は、ステップ１で作成したポスター材料を、吸光性層３２上の補助層、この場合は分離層２３に適用した時点で示す。分離層は、ポスター材料の個々にコーティングされた表面４がなお吸光性であるような層でなければならない。したがって、分離層も吸光性層３２または無色の透明層であることが好ましい。このコーティングは、流体（液体）として、または箔として適用することができ、流体（液体）として層を適用することが好ましい。ステップ３はパーフォレーション・ステップを示し、ポスター材料１、３２、２３の貫通中のパーフォレーション・ツール４６を示す。矢印はツール４６のパーフォレーションおよび動作の方向を示す。ステップ４は、パンチング・ステップ後に穴５０を設けたポスター材料の断面図である。ステップ５は、接着剤２０およびキャリア被着体２をポスター材料に適用するローラ７１を示し、ここではキャリア被着体２はキャリア材料と、または接着剤２０をコーティングしたキャリア材料と同一であり、ステップ６は、その結果生成された接着コンパウンドを示す。印刷方法による情報３０の適用は、ステップ６とステップ７の間に実行され、パーフォレーションおよび印刷を実行した接着コンパウンドをステップ７に示す。ステップ８は、接着コンパウンドの切り離しを示し、ステップ９は、窓ガラス７２に適用した最終製品を示す。
【０１２７】
図２は、パーフォレーション以前にキャリア材料を設けてある接着コンパウンドから開始する本発明の方法の様々なステップを示す。
【０１２８】
ステップ１は、ステップ２で断面にて示す構造を有する接着コンパウンドのロールを概略的に示す。このベース接着コンパウンドは、（上から下へと）キャリア被着体／キャリア材料２、接着剤層２０、および分離層２３で作成したポスター材料、黒い層３２およびポスター被着体１で構成される。キャリア材料は、接着コーティング２０に面していない印刷可能表面５、および接着剤層２０に面する吸光性表面６を有する。ステップ３では、ツール４６による接着コンパウンドのダイカットを示し、ステップ４およびステップ５では、完全に多孔性の接着コンパウンドが図示されている。ステップ６およびステップ７は、多孔性接着コンパウンドを切り離すこと、および接着剤層２０によって非多孔性の新しいキャリア材料に多孔性ポスター材料を適用し、移送ローラ７１を適用して新しい接着コンパウンドを生成することを示す。
【０１２９】
図３Ａは、図３Ｂで吸光性コーティング３２を設けたポスター被着体１の断面図を示す。図３Ｃは、図３Ｂの材料を追加の分離／剥離層２３、例えばシリコン層とともに示す。このような層は、キャリア材料上の接着剤の接着が、ポスター材料上より十分に強力ではない場合、または望ましくない（例えば不規則な）凝集破壊が発生するような場合にのみ必要である。図３Ｄは穴を適用した後の図３Ｃの材料を示し、図３Ｅは、図３Ｃのポスター材料を、接着剤層２０をコーティングしたキャリアに貼り付ける方法を示し、このようにして、分離層２３が分離可能な状態で接着剤層２０に付着する接着コンパウンドを形成する。分離層２３と接着剤層２０との接着は、接着が、方法の所期のさらなるステップに、特に情報３０の印刷、および必要に応じてそれ以前のイメージを受ける層２４の適用に問題なく耐えるのにちょうど十分であるよう調節することが好ましい。図３Ｆは最後に、図３Ｅにより生成した材料を示す。
【０１３０】
図４は、図３Ｆの接着コンパウンドを示し、ポスター被着体１の表面３は、十分には印刷可能でなく、したがってイメージを受けるコーティング２４および前記情報３０を適用した後、前記イメージを受けるコーティング２４を適用することによって、情報を印刷するよう準備しなければならない。
【０１３１】
図５は図３Ｆの材料を示し、ポスター被着体１の表面３は、情報３０を適用した後、情報の印刷に直接適切である。
【０１３２】
図６は、仕上げ加工したポスターを自動接着性キャリア２、２０から分離する間の、図５の材料の断面図を示す。自動接着性キャリア２、２０が非常に汚れすぎていなければ、キャリアとして再使用することができる。あるいは、図には図示されていないが、このようなキャリアには（接着剤が、コーティングしていない側または表面５に印刷可能な状態である限り）、上述した接着コンパウンドにまだある段階か、その後のライナーに結合された段階で、情報印刷２１（本図では図示せず）を設けることができる。このような印刷済みキャリアを共通転送イメージとして使用することができる。
【０１３３】
図７は、ポスターを窓ガラス７２に取り付けるステップを概略的に示す。ポスターは、吸光性層３２を備えるポスター材料、ポスター被着体１、さらにイメージを受ける層２４および情報層３０で構成される。
【０１３４】
図８は、図６の剥がしたポスターと同様のポスターと絵３０に加えた追加層、保護層３４の断面を示す。ここでは、保護層が液体の形態で適用されており、穴５０も形成されている。この実施形態では、保護層３４が完全に透明かつ無色であることは必須でなく、任意選択で透明度を穏やかにしか低下させない充填材を生成する特殊効果を含んでもよい。
【０１３５】
図９は図８と同様の実施形態を示し、適用される保護層３４は連続的な保護薄膜で、特に透明で少なくともほとんどが無色のアルミ箔である。
【０１３６】
図１０Ａは、最終使用者に引き渡した状態で本発明の接着コンパウンドの材料を節約した変形を示す。この実施形態では、両側を接着剤２０、２０’でコーティングされたキャリア材料を使用することにより、分離層２３、吸光性ポスター被着体１および白いベース・コート上の情報印刷３０で形成した、または吸光性箔および光反射性箔で作成した積層品であるポスター被着体１で形成し、情報３０を光反射性箔の表面３に直接適用してある２つのポスターを、同時に設けることができる。これは、例えば２つのポスターの情報が相互関係があり、したがって所望のセットが常に最終使用者に引き渡されることが保証される場合、またはキャリアが輸送中に安定性を強化することが望ましい場合は妥当である。まだ情報３０を設けていない個々のサンドイッチも、表面と裏面を多少同時に印刷するのに適した印刷機器に使用し、したがって接着コンパウンド製造場所から印刷施設まで輸送するために有利である。
【０１３７】
図１０Ｂは、ポスターの一方を外す間の図１０Ａの材料を示し、図１０Ｃは、第１ポスターを完全に分離し、第２ポスターの取り外しを開始した後の図１０Ｂの材料を示す。ポスターが、相互関係がある情報を有せず、輸送中の安定化も必要としない場合は、生産場所で既にキャリアから外すことができ、それによってキャリア材料の収集およびリサイクルが改善される。
【０１３８】
両面粘着キャリア材料および２つのポスター材料から形成する接着コンパウンドは、パーフォレーション・ステップでも使用することができ、同時の場合、つまり１つのパンチング・ステップで、本発明の２つのポスター材料でパーフォレーションを実行しなければならない。
【０１３９】
図１１は、片側シースルー・ポスターを、光反射性で印刷可能な表面５および吸光性表面６を有する被着体２を伴い、本発明によるポスター材料ではなく通常の取り外し可能なキャリア２９を備え、接着剤で結合した片側シースルー・ポスターを製造する最新技術の材料を示す。
【０１４０】
図１２Ａから図１２Ｄは、図１１に示したものと同様の粘着性材料のために、本発明で達成される改良点を示す。これ以上吸光性層２０を覆う一般的ライナーを使用せず、ポスター被着体１の側４に吸光性層３２がある本発明によるポスター材料を接着剤層（図１２Ａ）へと配向し、最新技術から知られているような粘着性ポスターにするようさらに処理される接着性材料の層を備えるポスター材料（本発明の範囲内で、このような接着性ポスター材料は、一般にキャリア材料と呼ばれる）と、接着剤層が内本発明のポスター材料（図１２Ｂ）のために、２つのポスター材料で同時に複雑なパーフォレーション手順を実行することができる。
【０１４１】
図１２Ｃは、接着剤層を設けたポスター材料を、接着剤層がないポスター材料から分離することを示す。あるいは、図１２Ａから図１２Ｃの手順は、本発明による２つのパンチングした非接着性ポスター材料を同時に製造するために、つまり例えば任意の接着剤層がない分離可能なコンパウンド材料を使用した場合にも適用することができる。このような材料は、同時押し出し加工製品および溶着製品を備える。
【０１４２】
本発明のさらなるプロセス・ステップでは、パーフォレーションではなくコーティングを施した接着剤を、接着剤がないポスター材料（図１２Ｄ）上に適用する。このステップは、印刷装置の構造が、印刷手順中に吸光性の側の汚染を少なくとも低減できるか、好ましくは完全に回避できる任意の手段を提供しない場合のみ必要、または望ましい。このような手段は、例えば吸引（排出）装置、またはポスター材料に押し当てることができるカバー箔、または適切な表面を設けたロールを同時に供給することである。材料を適切に選択すると、ポスター材料の表面３にその後に情報３０を印刷できるばかりでなく、キャリア材料の表面５にも情報２１を印刷することができる。
【０１４３】
図１３Ａから図１３Ｄは同様の材料を示し、この実施形態では、ポスター材料は多孔性である必要はない。というのは、これがルーズであり、したがって既に「穴」を備えた光透過性繊維質材料１６、１６Ａ、例えば織物であるからである。この繊維質材料１６、１６Ａは、片面に吸光性コーティングがあり（図１３Ａ）、したがって繊維質材料１６、１６Ａの規則的な光透過性材料が影響を受けない。様々な印刷装置で容易に処理するため、この片面吸光性コーティング繊維質材料１６、１６Ａは、次にその吸光性の側４を分離可能な自動接着性箔２、２０に結合する（図１３Ｂ）。この箔、つまりキャリアは、特定の圧力を加えると、繊維質材料の吸光性の側４に収まり、したがって前記吸光性側４が印刷手順中に汚れないよう、少なくとも弾性かつ軟質である。
【０１４４】
図１３Ｃは好ましい実施形態を示し、ここでは繊維質材料１６、１６Ａが情報３０を備えるばかりでなく、キャリア材料２、２０、５にも情報２１を設ける。以上で既に２回以上説明しているように、情報３０を印刷した後、キャリア材料２、２０、５は本発明のポスター３２、１６、３０から剥ぎ取り、その接着剤層を、分離／剥離層を備える箔で覆うことができる（図１３Ｄ）。
【０１４５】
本発明のさらなる実施形態では、上記と同様に、印刷可能である必要がない金属化を光反射性側３に設けてある「透かし細工」ポスター材料も製造することができる。このような材料は、例えば冬の庭などの窓ガラスの反射性カバーとして使用するのに適している。
【０１４６】
本発明の現在好ましい実施形態を示し、説明してきたが、本発明はそれに制限されず、請求の範囲内で他の様々な方法で実施し、実践してよいことが明白に理解される。
【図面の簡単な説明】
【０１４７】
【図１】ポスター材料がパンチングされ、追加層／ライナーがない、本発明に記載されたポスターの生産方法の略図を示す。
【図２】自動接着性キャリア材料に取り付けたポスター材料がパンチングされている図１の手順の変形を示す。
【図３Ａ】プロセスの様々な段階におけるポスター材料の断面の内、ポスター被着体を示す。
【図３Ｂ】プロセスの様々な段階におけるポスター材料の断面の内、吸光性層を設けた図３Ａのポスター被着体を示す。
【図３Ｃ】プロセスの様々な段階におけるポスター材料の断面の内、分離層などの追加層を有する図３Ｂのポスター材料を示す。
【図３Ｄ】プロセスの様々な段階におけるポスター材料の断面の内、ポーフォレーション後の図３Ｃのポスター材料を示す。
【図３Ｅ】プロセスの様々な段階におけるポスター材料の断面の内、非多孔性キャリア／ライナー材料に適用中の多孔性ポスター材料を示し、前記キャリア／ライナー材料に接着剤層が設けられている。
【図３Ｆ】プロセスの様々な段階におけるポスター材料の断面の内、完全に積層した状態の図３Ｅのポスター材料を示す。
【図４】イメージを受ける層およびイメージを適用した後の図３Ｆの接着コンパウンドの断面を示す。
【図５】ポスター材料にイメージを直接設けた図３Ｆに示した接着コンパウンドの断面を示す。
【図６】自動接着性キャリアから図５の完成したポスターの剥離の断面を示す。
【図７】イメージを受ける層を含むポスター材料で作成したポスターの窓ガラスなどへの適用ステップを示す。
【図８】保護層をイメージ上に適用した図６の一方と同様のポスターの断面を示す。
【図９】保護層が連続的な保護薄膜である図８に示したのと同様の実施形態の断面を示す。
【図１０Ａ】材料を節約する代替法の断面を示し、材料節約は、両面に接着剤層を設け、その上にポスター材料を取り付けたキャリア／ライナー材料を使用することにより行われ、引き渡し状態でのこのような材料を示す。
【図１０Ｂ】一方のポスターを剥離中の図１０Ａに示す材料を示す。
【図１０Ｃ】第１ポスターを完全に除去し、第２ポスターの除去を開始した後の図１０Ｂに示した材料を示す。
【図１１】粘着性ポスターを生産する最新技術の材料の断面を示す。
【図１２Ａ】本発明の改良点の断面を示すもので、本発明のコンパウンドを示し、接着剤をコーティングしていない片面吸光性ポスター材料を、接着剤層の保護にまたは図１１の材料のライナーに対する代替品として使用する。
【図１２Ｂ】本発明の改良点の断面を示すもので、パンチングした状態の図１２Ａの材料を示す。
【図１２Ｃ】本発明の改良点の断面を示すもので、接着剤をコーティングしていないポスター材料から接着剤をコーティングした材料を分離する際の図１２Ｂのパンチング材料を示す。
【図１２Ｄ】本発明の改良点の断面を示すもので、新しい非多孔性接着剤被覆キャリアを図１２Ｃの接着剤がないポスター材料に適用することを示す。
【図１３Ａ】片面黒色コーティング繊維質材料を示し、この場合は、ポスター材料はテキスタイルなどの半透明繊維質材料であるので、多孔性である必要がない。
【図１３Ｂ】黒い層が接着キャリア／ライナー層に隣接した状態の片面黒色コーティング繊維質材料の断面を示す。
【図１３Ｃ】イメージを載せた接着性キャリア／ライナーに適用したイメージを設けた繊維質材料の断面を示す。
【図１３Ｄ】図１３Ｃの接着コンパウンドの切り離しの断面を示す。
【符号の説明】
【０１４８】
１  ポスター被着体（材料）
２  キャリア／ライナー被着体（材料）
３  ポスター材料／被着体の表面／１側
４  ポスター材料／被着体の表面／２側
５  キャリア材料／被着体またはライナー材料／被着体の表面／１側
６  キャリア材料／被着体またはライナー材料／被着体の表面／２側
１６  繊維質材料（長い粒子）
１６Ａ  繊維質材料（短い粒子）
２０、２０’  接着剤層
２１  キャリア／ライナー上の情報／イメージ
２３  分離／剥離層
２４  イメージを受ける層
２９  除去可能なキャリア／ライナー
３０  情報／イメージ
３２  吸光性層
３４  保護層
４６  穴切削ツール／ダイカット・ツール
５０  穴
７０  ロール
７１  輸送ロール
７２  窓ガラス
【図１】
2004310101.tif 000003
【図２】
2004310101.tif 000004
【図３Ａ】
2004310101.tif 000005
【図３Ｂ】
2004310101.tif 000006
【図３Ｃ】
2004310101.tif 000007
【図３Ｄ】
2004310101.tif 000008
【図３Ｅ】
2004310101.tif 000009
【図３Ｆ】
2004310101.tif 000010
【図４】
2004310101.tif 000011
【図５】
2004310101.tif 000012
【図６】
2004310101.tif 000013
【図７】
2004310101.tif 000014
【図８】
2004310101.tif 000015
【図９】
2004310101.tif 000016
【図１０Ａ】
2004310101.tif 000017
【図１０Ｂ】
2004310101.tif 000018
【図１０Ｃ】
2004310101.tif 000019
【図１１】
2004310101.tif 000020
【図１２Ａ】
2004310101.tif 000021
【図１２Ｂ】
2004310101.tif 000022
【図１２Ｃ】
2004310101.tif 000023
【図１２Ｄ】
2004310101.tif 000024
【図１３Ａ】
2004310101.tif 000025
【図１３Ｂ】
2004310101.tif 000026
【図１３Ｃ】
2004310101.tif 000027
【図１３Ｄ】
2004310101.tif 000028
【外国語明細書】
2004310101.tif 000029
2004310101.tif 000030
2004310101.tif 000031
2004310101.tif 000032
2004310101.tif 000033
2004310101.tif 000034
2004310101.tif 000035
2004310101.tif 000036
2004310101.tif 000037
2004310101.tif 000038
2004310101.tif 000039
2004310101.tif 000040
2004310101.tif 000041
2004310101.tif 000042
2004310101.tif 000043
2004310101.tif 000044
2004310101.tif 000045
2004310101.tif 000046
2004310101.tif 000047
2004310101.tif 000048
2004310101.tif 000049
2004310101.tif 000050
2004310101.tif 000051
2004310101.tif 000052
2004310101.tif 000053
2004310101.tif 000054
2004310101.tif 000055
2004310101.tif 000056
2004310101.tif 000057
2004310101.tif 000058
2004310101.tif 000059
2004310101.tif 000060
2004310101.tif 000061
2004310101.tif 000062
2004310101.tif 000063
2004310101.tif 000064
2004310101.tif 000065
2004310101.tif 000066
2004310101.tif 000067
2004310101.tif 000068
2004310101.tif 000069
2004310101.tif 000070
2004310101.tif 000071
2004310101.tif 000072
2004310101.tif 000073